(57)【特許請求の範囲】
【請求項１】
下面が開口している中空の直方体形状を有し、縦横方向、及び、高さ方向に互いに連結可能なボックスと、
前記ボックスが有する前記開口に嵌合可能な蓋体と
を備えた収納機能付のステップ形成用ボックスであって、
前記ボックスの正面及び側面の側壁には、上下に延びる帯状の凹部が設けられ、
前記ボックスの上面の天板及び前記下面の外周上であって前記凹部の上下面には、高さ方向連結用の連結用孔が設けられ、
前記高さ方向連結用の連結用孔は、前記ボックスどうしが高さ方向に積み重ねられたときに、一方の前記ボックスの上面側の前記高さ方向連結用の連結用孔と他方の前記ボックスの下面側の前記高さ方向連結用の連結用孔とが重なり合って、連結具が挿通可能であり、
前記ボックスの前記正面の側壁には、縦横方向連結用の連結用孔が設けられ、
前記縦横方向連結用の連結用孔は、前記ボックスどうしが縦横方向に重ねられたときに、一方の前記ボックスの前記縦横方向連結用の連結用孔と、他方の前記ボックスの前記縦横方向連結用の連結用孔とが重なり合って、連結具が挿通可能であり、
前記開口に前記蓋体が嵌合されずに、前記開口が下面として設置される場合に、前記下面側の高さ方向連結用の連結用孔は、設置面に固定する場合のアンカー用の孔とされ、
前記開口に前記蓋体が嵌合され、前記蓋体が嵌合された面が上面とされた場合に、前記上面側の高さ方向連結用の連結用孔は、設置面に固定する場合のアンカー用の孔とされること
を特徴とするステップ形成用ボックス。
【請求項２】
前記側面に通気孔が形成されていることを特徴とする請求項１に記載のステップ形成用ボックス。
【請求項３】
前記上面に、排水用の孔が設けられていることを特徴とする請求項１に記載のステップ形成用
ボックス。
【請求項４】
前記上面には、溝が設けられており、
前記排水用の孔は、前記溝上に設けられていることを特徴とする請求項３に記載のステッ
プ形成用ボックス。
【請求項５】
下面が開口している中空の直方体形状を有し、縦横方向、及び、高さ方向に互いに連結可能なステップ形成用ボックスであって、
正面及び側面の側壁には、上下に延びる帯状の凹部が設けられ、
上面の天板及び前記下面の外周上であって前記凹部の上下面には、高さ方向連結用の連結用孔が設けられ、
前記高さ方向連結用の連結用孔は、前記ステップ形成用ボックスどうしが高さ方向に積み重ねられたときに、一方の前記ステップ形成用ボックスの上面側の前記高さ方向連結用の連結用孔と他方の前記ステップ形成用ボックスの下面側の前記高さ方向連結用の連結用孔とが重なり合って、連結具が挿通可能であり、
前記正面の側壁には、縦横方向連結用の連結用孔が設けられ、
前記縦横方向連結用の連結用孔は、前記ステップ形成用ボックスどうしが縦横方向に重ねられたときに、一方の前記ステップ形成用ボックスの前記縦横方向連結用の連結用孔と、他方の前記ステップ形成用ボックスの前記縦横方向連結用の連結用孔とが重なり合って、連結具が挿通可能であり、
前記下面側の高さ方向連結用の連結用孔は、設置面に固定する場合のアンカー用の孔とされ、
前記開口に蓋体が嵌合され、前記蓋体が嵌合された面が上面とされた場合に、前記上面側の高さ方向連結用の連結用孔は、設置面に固定する場合のアンカー用の孔とされること
を特徴とするステップ形成用ボックス。
【発明の詳細な説明】
【技術分野】
【０００１】
この発明は、ステップ形成用ボックスに関する。
【背景技術】
【０００２】
従来、建物の勝手口と外側の地面との間にある段差には、容易に建物に出入りできるようにコンクリート製の踏台等が設けられている。このようなコンクリート製の踏台は、建物の建築時に建築業者によって設けられるものであり、建物が完成した後に、建築業者以外の住人等が施工することは困難であった。
【０００３】
そこで、従来、合成樹脂発泡体からなる高さの異なる２つの踏台を連結し、アンカーで地面に固定することにより形成可能な勝手口用踏台が提案されている（例えば、特許文献１参照）。また、従来、勝手口の踏板を開閉自在とし、内部に収納空間を設けた勝手口用踏台が提案されている（例えば、特許文献２〜４参照）。
【０００４】
【特許文献１】特開２０００−２４８７０６号公報
【特許文献２】特開平１０−１０２７１０号公報
【特許文献３】特開平１０−１３１２８２号公報
【特許文献４】特開平１０−１３１４４７号公報
【発明の開示】
【発明が解決しようとする課題】
【０００５】
しかしながら、特許文献１〜４に記載の勝手口用踏台は、２段の階段状に構成されている。そして、各段を構成する踏台の面積（上面の面積）や地面からの高さは個々に予め設定されている。そのため、このような勝手口用踏台を設置しようとした場合、最上段までの段数や各段の面積を自由に設計することができないといった問題があった。
また、特許文献１のように、高さの異なる２つの樹脂製の踏台を用いることとすると、製造するにあたって２種類の金型を準備しなければならないといった問題があった。
【０００６】
本発明は、上述した課題に鑑みてなされたものであり、その目的は、ステップを形成する際に、設計にある程度の自由度を持たせたステップ形成用ボックスを提供することにある。
【課題を解決するための手段】
【０００７】
以上のような目的を達成するために、本発明は、以下のようなものを提供する。
（１）  下面が開口している中空の直方体形状を有し、縦横方向、及び、高さ方向に互いに連結可能なボックスと、
前記ボックスが有する前記開口に嵌合可能な蓋体と
を備えた収納機能付のステップ形成用ボックスであって、
前記ボックスの正面及び側面の側壁には、上下に延びる帯状の凹部が設けられ、
前記ボックスの上面の天板及び前記下面の外周上であって前記凹部の上下面には、高さ方向連結用の連結用孔が設けられ、
前記高さ方向連結用の連結用孔は、前記ボックスどうしが高さ方向に積み重ねられたときに、一方の前記ボックスの上面側の前記高さ方向連結用の連結用孔と他方の前記ボックスの下面側の前記高さ方向連結用の連結用孔とが重なり合って、連結具が挿通可能であり、
前記ボックスの前記正面の側壁には、縦横方向連結用の連結用孔が設けられ、
前記縦横方向連結用の連結用孔は、前記ボックスどうしが縦横方向に重ねられたときに、一方の前記ボックスの前記縦横方向連結用の連結用孔と、他方の前記ボックスの前記縦横方向連結用の連結用孔とが重なり合って、連結具が挿通可能であり、
前記開口に前記蓋体が嵌合されずに、前記開口が下面として設置される場合に、前記下面側の高さ方向連結用の連結用孔は、設置面に固定する場合のアンカー用の孔とされ、
前記開口に前記蓋体が嵌合され、前記蓋体が嵌合された面が上面とされた場合に、前記上面側の高さ方向連結用の連結用孔は、設置面に固定する場合のアンカー用の孔とされること
を特徴とするステップ形成用ボックス。
【０００８】
（１）の発明によれば、直方体形状を有し、縦横方向、及び、高さ方向に互いに連結可能である。従って、複数のステップ形成用ボックスを縦横方向、及び／又は、高さ方向に自由に連結して、所望の形状を有するステップを形成することができる。例えば、勝手口用踏台としてステップ形成用ボックスを使用する場合、地面に面する位置に４つのステップ形成用ボックスを配置するとともに、その上に２つのステップ形成用ボックスを配置して１段目と２段目とが同じ面積である踏台を形成することもできるし、地面に面する位置に３つのステップ形成用ボックスを配置するとともに、その上に２つのステップ形成用ボックスを配置し、２段目の面積が１段目の面積よりも広くなるように踏台を形成することもできる。また地面に面する位置に４つ、その上に３つ、さらにその上に２つのステップ形成用ボックスを配置して最上段までが３段の踏台を形成することもできる。また、建物の床面と同じ高さとなるようにステップ形成用ボックスを並べてテラスを形成することも可能である。このように、（１）の発明によれば、直方体形状を有し、縦横方向、及び、高さ方向に互いに連結可能であるため、勝手口用踏台やテラスのようなステップを形成する際に、設計にある程度の自由度を持たせることができる。
また、１種類のステップ形成用ボックスを縦横方向、及び、高さ方向に互いに連結させて使用するものであるため、樹脂製とする場合には、製造するにあたって１種類の金型を準備すればよく、製造コストを削減することができる。
また、ボックスは、下面が開口している中空の直方体形状を有しており、蓋体がこの開口に嵌合可能である。従って、蓋体を上面とするステップを形成することができるとともに、ボックスに収納機能を持たせることができる。
また、アンカー用の孔が設けられているため、地面等の設置面に確実に固定することができる。また、互いを連結するための連結用孔が設けられているため、互いを確実に固定し、複数のステップ形成用ボックスからなるステップ全体として散けないようにすることができる。
【００１３】
さらに、本発明は、以下のようなものを提供する。
（２）  上記（１）のステップ形成用ボックスであって、
前記側面に通気孔が形成されていることを特徴とする。
【００１４】
（２）の発明によれば、中空であり、側面に通気孔が形成されているため、内部にこもった湿気や水分を外部へと逃がすことができる。特に、上記蓋体を用いて収納機能付のステップ形成用ボックスとして使用する場合に、内部に収納したものがいつまでも湿った状態となることを防止することができる。
【００１５】
さらに、本発明は、以下のようなものを提供する。
（３）  上記（１）のステップ形成用ボックスであって、
前記上面に、排水用の孔が設けられていることを特徴とする。
【００１６】
従来、ステップは、雨等により濡れると滑り易くなる。また、滑り止め用の溝が設けられていたとしても、この溝に水が溜まると却って滑り易くなる。しかしながら、（３）の発明によれば、中空であり、上面に排水用の孔が設けられているため、上面の水は、排水用の孔から内部へ流れる。その結果、ステップ形成用ボックスの上面に水が溜まるのを防ぎ、滑り難くすることができる。
【００１７】
さらに、本発明は、以下のようなものを提供する。
（４）  上記（３）のステップ形成用ボックスであって、
上記上面には、溝が設けられており、
上記排水用の孔は、上記溝上に設けられていることを特徴とする。
【００１８】
（４）の発明によれば、上面には、溝が設けられており、排水用の孔は、上記溝上に設けられているため、上面の水は溝に沿って排水用の孔に流れ込むこととなる。その結果、水を上面から効率的に排出することができる。また、上面に溝が設けられているため、滑り止めとして機能させることができる。
【発明の効果】
【００１９】
本発明によれば、ステップを形成する際に、設計にある程度の自由度を持たせたステップ形成用ボックスを提供することができる。
【発明を実施するための最良の形態】
【００２０】
以下、本発明の実施形態について図面を用いて説明する。
勿論、本発明は、以下の実施形態に限定されるものではなく、本発明の構成を充足する範囲内で、適宜設計変更を行うことが可能である。
【００２１】
図１は、本発明の一実施形態に係るステップ形成用ボックスの一例を示す斜視図である。
図２（ａ）は、図１に示したステップ形成用ボックスの側面図であり、図２（ｂ）は、その平面図であり、図２（ｃ）は、その正面図である。
図３は、図２（ｂ）に示したステップ形成用ボックスのＡ−Ａ線断面図である。
図４は、図１に示したステップ形成用ボックスの底面図である。
図５は、図１に示したステップ形成用ボックスの断面平面図である。
ステップ形成用ボックス１０は、縦横方向や高さ方向に互いに連結することにより、所望の形状を有するステップを形成可能とするものである。
【００２２】
ステップ形成用ボックス１０は、底面が開口した中空の直方体形状を有する樹脂製のものであり、縦横の比が１：２である。ステップ形成用ボックス１０は、縦横の比が１：２であるため、複数のステップ形成用ボックス１０を縦横方向に収まりよく自由に並べることができる。また、ステップ形成用ボックス１０は、中空であり、軽量化が図られているため運搬が容易である。なお、本発明においては、本実施形態のように、縦横の比が１：２であることが望ましいが、本発明においてはこの例に限定されず、例えば、１：３、１：４、２：３であってもよく、縦横方向に収まりよく並べることが可能であればよい。
【００２３】
図１、及び、図２（ｂ）に示すように、ステップ形成用ボックス１０の上面には、天板１２が形成されている。天板１２の外周上には、平面視が矩形状の滑り止め用突起１８が略等間隔で設けられている。
【００２４】
また、天板１２の外周上には、短辺を略２等分する位置に孔１４が設けられており、長辺を略４等分する位置（ただし、２等分する位置を除く）に孔１６が設けられている。孔１４、及び、孔１６は、高さ方向に複数のステップ形成用ボックス１０を連結する際に用いられるものであり、連結する相手側のステップ形成用ボックス１０の底面の外周上に設けられた孔６４及び孔６６（図１、及び、図５参照）との間に取付金具を挿通させることにより、連結可能とするものである。
【００２５】
なお、ステップ形成用ボックス１０の上下を逆に配置して天板１２を下側にし、後述する蓋体８０（図６参照）と組み合わせて収納機能付きとする場合には、孔１４、及び、孔１６は、地面等の設置面にアンカーを打ち付けるために使用する。
【００２６】
また、図１、及び、図２（ｂ）に示すように、天板１２には、格子状に溝２０が設けられており、縦の溝２０と横の溝２０とが交差する位置のうちの一部（交差部２４）は、溝２０よりも深く設定されている。交差部２４には、縦の溝２０と横の溝２０との側方且つ交差部２４に面する位置に排水用孔２２が夫々４つ設けられている（図１、図２（ｂ）、及び、図３参照）。なお、排水用孔２２が設けられていない交差部２６は、溝２０と深さが同じに設定されている。
【００２７】
排水用孔２２が設けられていない交差部２６は、溝２０と同じ深さに設定されており、排水用孔２２が設けられている交差部２４は、溝２０よりも深く設定されている。従って、溝２０に溜まる水は、より低い位置にある交差部２４に流れ込むことになり、交差部２４に設けられた排水用孔２２を通って、ステップ形成用ボックス１０の内部へと流下する。その結果、ステップ形成用ボックス１０の上面に水が溜まるのを防ぎ、滑り難くすることができる。
【００２８】
なお、交差部２４は、溝２０と同じ高さであってもよい。同じ高さであっても、溝に溜まる水をステップ形成用ボックスの内部へと流下させることが可能であるからである。
【００２９】
本発明では、本実施形態のように、１の交差部に複数の排水用孔を設けることが望ましい。より多くの水を短時間にステップ形成用ボックスの内部へと流下させることができるからである。しかしながら、本発明において排水用の孔の形状、数、及び、位置は、特に限定されない。排水用の孔が設けられていれば、上面に溜まる水をステップ形成用ボックスの内部に流下させることができるからである。
【００３０】
図１、及び、図２（ａ）に示すように、ステップ形成用ボックス１０の側面に設けられている側壁３０には、略等間隔に帯状の凹部３２が設けられており、各凹部３２の中央には、スリット状の通気孔３４が設けられている。
【００３１】
また、各凹部３２同士の間には、縦長の凹部３６が断続的に設けられている。なお、凹部３６は、内部まで貫通していない。
【００３２】
図２（ｃ）に示すように、正面に設けられている側壁４０には、側面の側壁３０と同様に、帯状の凹部４２が設けられ、凹部４２には、スリット状の通気孔４４が設けられている。通気孔３４、及び、通気孔４４が設けられているため、ステップ形成用ボックス１０の内部にこもった湿気や水分を外部へと逃がすことができる。特に、後述する蓋体８０（図６）を用いて収納機能付のステップ形成用ボックスとして使用する場合に、内部に収納したものがいつまでも湿った状態となることを防止することができる。
また、通気孔３４は、外周面よりも内側にある凹部３２に設けられており、通気孔４４は、外周面よりも内側にある凹部４２に設けられているため、通気孔３４、及び、通気孔４４から内部へと雨水等が入り込むことを防止することができる。
【００３３】
図２（ｃ）に示すように、凹部４２同士の間には、縦長の凹部４６が断続的に設けられており、同一線上にある凹部４６同士の間には、互いを連結するための連結用孔４８が設けられている。従って、縦横方向に複数のステップ形成用ボックス１０を連結する際、連結する相手側のステップ形成用ボックス１０の連結用孔４８との間にボルトを挿通して反対側からナットに螺合させて固定することができる。連結用孔４８は、本発明の連結部に相当するものである。
本実施形態では、連結用孔４８が設けられている場合について説明したが、本発明における連結部は、互いに連結させることができればこの例に限定されるものではなく、例えば、凹部と凸部とからなり、凹部と凸部とを係合させる構成であってもよい。
【００３４】
なお、縦長の凹部４６は、連結用孔４８を設けたことにより損なわれるおそれのある美観を保つために設けられたものである。
【００３５】
図４に示すように、天板１２の裏面には、溝２０に対応する位置に、格子状にリブ５０が設けられている。また、図４に示すように、凹部３４の裏面には、段差部５２が形成されており、後述する蓋体８０の当接片８４が当接する。また、側壁４０の中央下側（図４中、中央手前側）には、厚肉部５４が設けられており、後述する蓋体８０の当接片８６が当接する。
【００３６】
図１、及び、図５に示すように、底面の外周上には、短辺を略２等分する位置に孔６４が設けられており、長辺を略４等分する位置（ただし、２等分する位置を除く）に孔６６が設けられている。孔６４、及び、孔６６は、地面等の設置面にアンカーを打ち付けるために使用される。なお、上下を逆に配置して天板１２を下側にして使用する場合や、２段目以上の箇所に使用する場合には、孔６４、及び、孔６６は、高さ方向に他のステップ形成用ボックス１０を連結する際に用いられる。
【００３７】
本実施形態では、正面の側壁４０に連結用孔４８が設けられおり、側面の側壁３０には、連結用孔が設けられていない場合について説明した。しかしながら、本発明では、正面の側壁と正面の側壁との両方に連結用孔が設けられていることとしてもよい。
【００３８】
ステップ形成用ボックス１０は、天板１２を上側にして、縦横方向及び／又は高さ方向に連結することにより、勝手口用踏台を形成したり、テラスを形成することが可能である。さらに、ステップ形成用ボックス１０は、天板１２を下側にし、上側の開口に蓋体８０を嵌合させることにより、収納機能付きのステップ形成用ボックスとすることができる。そこで、以下では、蓋体８０について説明することとする。
なお、ステップ形成用ボックス１０を収納機能付きのステップ形成用ボックスとして使用する場合、ステップ形成用ボックス１０は、本発明のボックスに相当するものである。
【００３９】
図６は、本発明の一実施形態に係る蓋体の一例を示す斜視図である。
図７（ａ）は、図６に示した蓋体の側面図であり、図７（ｂ）は、その平面図であり、図７（ｃ）は、その正面図である。
図８は、図６に示した蓋体の底面図である。
図６、及び、図７に示すように、蓋体８０の上面には、天板８２が形成されており、天板８２には、格子状に溝８５が設けられている。また、天板８２の外周上には、平面視が矩形状の滑り止め用突起８８が略等間隔で設けられている。
【００４０】
なお、蓋体８０には、ステップ形成用ボックス１０に設けられているような排水用の孔が設けられていないが、本発明においては、天板に排水用の孔が設けられていてもよい。
【００４１】
また、図６、及び、図８に示すように、蓋体８０の裏面には、外形が天板８２よりも一回り小さい枠体８８が設けられており、枠体８８には、格子状にリブ９０が設けられている。
【００４２】
天板８２の裏面外周上における短辺中央には、当接片８４が設けられており、長辺中央には、当接片８６が設けられている。当接片８４は、ステップ形成用ボックス１０の内側における短辺中央に設けられた段差部５２（図４参照）に当接させることを可能とするものであり、当接片８６は、ステップ形成用ボックス１０の内側における長辺中央に設けられた厚肉部５４（図４参照）に当接させることを可能とするものである。従って、蓋体８０をステップ形成用ボックス１０に嵌合させると、当接片８４がステップ形成用ボックス１０の段差部５２に当接し、当接片８６がステップ形成用ボックス１０の厚肉部５４に当接するため、がたつくことなくステップ形成用ボックス１０に固定することができる。
【００４３】
また、図６に示すように、天板８２の側面における短辺中央には、凹部からなる把手９２が設けられおり、長辺中央には、凹部からなる把手９４が設けられている。把手９２、及び、把手９４は、ステップ形成用ボックス１０に嵌合されている蓋体８０を取り外す際に、指を掛ける等するためのものである。
【００４４】
次に、ステップ形成用ボックスの使用例として、建物の出入り口の踏台として使用する場合について説明する。
図９、及び、図１０は、図１に示したステップ形成用ボックスと図６に示した蓋体とを組み合わせた場合の使用状態を示す図である。
【００４５】
図９に示すにように、建物の出入り口１２０に面する位置には、２段からなる踏台１１０が形成されている。踏台１１０の下段は、３つのステップ形成用ボックス１０を連結したものであり、３つのステップ形成用ボックス１０のうち手前に配置されているステップ形成用ボックス１０は、天板１２を下側にして配置されている。そして、開口が上面となったこのステップ形成用ボックス１０に蓋体８０が嵌合され、収納機能付きのステップ形成用ボックス１００として使用されている。また、下段の各ステップ形成用ボックス１０に設けられたアンカー用の孔には、アンカー１０２が打ち付けられ、ステップ形成用ボックス１０が地面１２２に固定されている。
【００４６】
踏台１１０の上段は、下段のステップ形成用ボックス１０を９０度回転させた方向に２つ連結したものであり、天板１２を下側にして配置されている。そして、開口が上面となったこの２つのステップ形成用ボックス１０に蓋体８０が嵌合され、収納機能付きのステップ形成用ボックス１００として使用されている。収納機能付きステップ形成用ボックス１００は、内部空間１０４に種々のものを収納することができる（図１０参照）。
【００４７】
また、上段のステップ形成用ボックス１０と、下段のステップ形成用ボックス１０とは、夫々、取付金具１６４により連結されている。これにより、上段のステップ形成用ボックス１０が下段のステップ形成用ボックス１０からずれることを防止している。
【００４８】
上述した実施形態では、ステップ形成用ボックス１０を建物の出入り口の踏台として使用する場合について説明した。しかしながら、本発明におけるステップ形成用ボックスは、この例に限定されず、例えば、図９に示した建物の出入り口１２０に面するように、多数のステップ形成用ボックス１０を２段に形成するといったように、テラスを形成するために使用してもよい。また、テラスとして使用する際に、蓋体と組み合わせて収納機能付きとしてもよく、天板を上側にして用い、収納機能のない状態で使用してもよい。また、本発明におけるステップ形成用ボックスは、上述した実施形態に限定されず、必要に応じて適宜に段差（ステップ）を形成する際に利用することができる。
【００４９】
次に、本発明のステップ形成用ボックスの材料について説明する。本発明のステップ形成用ボックスの材料としては、特に限定されるものではなく、例えば、金属材料、樹脂材料等を挙げることができる。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。金属材料としては、特に限定されるものではないが、例えば、ステンレス、鋳鉄等を挙げることができる。セラミックを用いることとしてもよい。
【００５０】
ステップ形成用ボックスの材料として、樹脂材料を用いる場合には、無機材料を添加して用いることが望ましい。剛性が高くなり建築材料として好適な硬さとすることができ、光による樹脂材料の脆性化を防止し、さらに、耐水性や耐熱性等を向上させることができるからである。無機材料としては、特に限定されるものではないが、例えば、炭酸カルシウム、含水珪酸マグネシウム、石粉、コンクリート粉体、高炉スラグ、フライアッシュ等を挙げることができる。樹脂材料と無機材料との配合重量比は、１：０．１〜１：３であることが好ましい。また、例えば、フタル酸エステル、ジブチルフタレート等の可塑剤を添加してもよい。
【００５１】
以上、本発明に係るステップ形成用ボックスの実施形態について説明したが、本発明のステップ形成用ボックスは、上述した例に限定されるものではなく、本発明の構成を充足する範囲内で、適宜設計変更を行うことが可能である。
【図面の簡単な説明】
【００５２】
【図１】本発明の一実施形態に係るステップ形成用ボックスの一例を示す斜視図である。
【図２】（ａ）は、図１に示したステップ形成用ボックスの側面図であり、（ｂ）は、その平面図であり、（ｃ）は、その正面図である。
【図３】図２（ｂ）に示したステップ形成用ボックスのＡ−Ａ線断面図である。
【図４】図１に示したステップ形成用ボックスの底面図である。
【図５】図１に示したステップ形成用ボックスの断面平面図である。
【図６】本発明の一実施形態に係る蓋体の一例を示す斜視図である。
【図７】（ａ）は、図６に示した蓋体の側面図であり、（ｂ）は、その平面図であり、（ｃ）は、その正面図である。
【図８】図６に示した蓋体の底面図である。
【図９】図１に示したステップ形成用ボックスと図６に示した蓋体とを組み合わせた場合の使用状態を示す図である。
【図１０】図１に示したステップ形成用ボックスと図６に示した蓋体とを組み合わせた場合の使用状態を示す図である。
【符号の説明】
【００５３】
１０  ステップ形成用ボックス
１２  天板
２０  溝
２２  排水用孔
３０  （側面の）側壁
３４  通気孔
４０  （正面の）側壁
４４  通気孔
４８  連結用孔
６４  （アンカー用の）孔
６６  （アンカー用の）孔
８０  蓋体
【図１】
0005250298.tif 000002
【図２】
0005250298.tif 000003
【図３】
0005250298.tif 000004
【図４】
0005250298.tif 000005
【図５】
0005250298.tif 000006
【図６】
0005250298.tif 000007
【図７】
0005250298.tif 000008
【図８】
0005250298.tif 000009
【図９】
0005250298.tif 000010
【図１０】
0005250298.tif 000011